(57)【要約】【課題】  熱交換器の清掃を、簡単に行うことができる空気調和機を提供する。【解決手段】  吸気開口部を有し熱交換器及び送風機を収納する本体ケースと、この本体ケースの吸気開口部５７を覆い着脱自在に設けられるパネル３とを備えた空気調和機において、前記パネルと熱交換器の間に設けられ、吸気開口部５７を覆い、着脱自在に設けられる空気清浄器１９を備え、この空気清浄器１９は空気清浄フィルタ１９ａを収納する収納枠１９ｂを有し、この収納枠１９ｂの縁を前記吸気開口部５７の縁に設けた係合部６６で支持する。【選択図】      図５
2004219048.tif 000002
【特許請求の範囲】
【請求項１】
吸気開口部を有し熱交換器及び送風機を収納する本体ケースと、この本体ケースの吸気開口部を覆い着脱自在に設けられるパネルとを備えた空気調和機において、
前記パネルと熱交換器の間に設けられ、吸気開口部を覆い、着脱自在に設けられる空気清浄器を備え、この空気清浄器は空気清浄フィルタを収納する収納枠を有し、この収納枠の縁を前記吸気開口部の縁に設けた係合部で支持することを特徴とする空気調和機。
【発明の詳細な説明】
【技術分野】
【０００１】
本発明は、空気調和機の室内機内部の清掃を容易にする構造に関する。
【背景技術】
【０００２】
一般に、前面及び上面に吸気用開口部を有する本体ケースと、この本体ケース内に収納される熱交換器及び送風機と、この本体ケースに取り付けられる前面パネルとを備えた空気調和機の室内機は知られている。送風機は本体ケースの略中央部に配置され、熱交換器は吸気用開口部に沿って配置され、さらに熱交換器の吸込側にはエアフィルタと空気清浄フィルタとを備えている。そして、これらフィルタ類により空気中の塵や埃が室内機内部に侵入するのを防いでいる（例えば、特許文献１参照。）。
【０００３】
ところで、この種の室内機では、前記フィルタ類で捉えきれない細かな塵や埃が内部に侵入し、熱交換器の冷媒管やフィンに付着してしまうことがある。近年、この熱交換器に付着した塵や埃を簡易に清掃可能にすることが要求されており、前面パネルは本体ケースに対して着脱自在（または開閉自在）に設けられるとともに、この前面パネルを外した（または開放した）ときには吸気用開口部を通して熱交換器の一方の面が露出するように構成されるのが一般的である。
【０００４】
そして、熱交換器の露出した面に洗浄剤を吹き付けるか、あるいは掃除機の吸込みノズルを当てて清掃することを可能にしている。
【特許文献１】特開平１０−１３２３７１
【発明の開示】
【発明が解決しようとする課題】
【０００５】
しかし、従来の構成では、前面パネルを外し（または開放し）、かつ、フィルタ類を外しても、本体ケースの吸気用開口部には空気清浄フィルタを収納する収納枠が固定して設けられており、この収納枠が固定されていることより熱交換器の清掃をやり難くするという問題があった。
【０００６】
そこで、本発明の目的は、上述した従来の技術が有する課題を解消し、熱交換器の清掃を、簡単に行うことができる空気調和機を提供することにある。
【課題を解決するための手段】
【０００７】
上記目的を達成ために、請求項１に記載の発明は、吸気開口部を有し熱交換器及び送風機を収納する本体ケースと、この本体ケースの吸気開口部を覆い着脱自在に設けられるパネルとを備えた空気調和機において、前記パネルと熱交換器の間に設けられ、吸気開口部を覆い、着脱自在に設けられる空気清浄器を備え、この空気清浄器は空気清浄フィルタを収納する収納枠を有し、この収納枠の縁を前記吸気開口部の縁に設けた係合部で支持することを特徴とする。
【発明の効果】
【０００８】
本発明の空気調和機は、前面パネルを着脱自在に設けると共に、空気清浄器の収納枠を本体ケースに対して着脱自在に設けたので、本体ケースから前面パネルを外しさらに収納枠を外すことにより、本体ケースの吸気開口部を通して熱交換器の吸気側の一面が大きく露出し熱交換器の清掃を極めて簡単に行うことができる。
【実施例】
【０００９】
以下、本発明の一実施例を添付した図面を参照して説明する。分離型空気調和機は、室外に設置される室外機と、この室外機と冷媒管により接続され室内に設置される室内機とにより構成され、これら室外機と室内機との間を冷媒が循環し室内の空調を行っている。
【００１０】
図１は本発明の一実施例における空気調和機の室内機の斜視図、図２は図１の側断面図である。図１において、室内機１０は、プラスチック等を材料として横長に形成された本体ケース１と、この本体ケース１に取り付けられる前面パネル３及び天面パネル５とを備えて構成されている。前面パネル３には前面吸気口４を有し、天面パネル５には上面吸気口６を有している。
【００１１】
図２において、前記本体ケース１内の略中心位置には長手方向に延設されたクロスフローファン（送風機）９が設けられ、このクロスフローファン９と前面吸気口４及び上面吸気口６との間に熱交換器７が配設されている。
【００１２】
この熱交換器７は、３つのブロックからなり、側面から見てクロスフローファン９を包むように概略「く」字状及び「へ」字状に形成されて、室内機を小型化しても熱交換効率が低下しないようになっている。
【００１３】
熱交換器７の下端部には、当該熱交換器７で結露して滴下する水を受け止めるドレンパン１１が設けられ、このドレンパン１１は本体ケース１に固定されている。
【００１４】
本体ケース１の下端部には空気調和された空気を室内に吹き出すための吹出口１２が形成され、この吹出口１２には吹出し空気の左右方向の向きを設定するための複数の縦羽根１３ａ、１３ａ・・が設けられている。
【００１５】
また、本体ケース１は後部を覆うフレーム１５とこのフレーム１５の前方に取り付けられるグリル１７とからなっている。図３はフレーム及びこのフレームに収納される構成部品を示す斜視図、図４はグリルを示す斜視図、図５はグリルから空気清浄器を外した状態を示す斜視図である。
【００１６】
図３、図４において、前記グリル１７は、後部の枠部５１と、左右の両側板５２、５３と、これら両側板５２、５３間を前面でつなぐ２本の横板５４、５５と、これら２本の横板５４、５５及び枠部５１上部をグリル１７の略中央で縦方向につなぐ縦桟５６とからなり、これらが一体に成形されている。上の横板５４、両側板５２、５３及び枠部５１で囲まれる部分には上面吸気開口部５７が形成され、上下の横板５４、５５及び両側板５２、５３で囲まれる部分には前面吸気開口部５８が形成され、これら上面及び前面吸気開口部５７、５８は、縦桟５６で左右に２分割されている。グリル１７の下部で下の横板５５と枠部５１とで囲まれる部分には前述した吹出口１２が形成されている。
【００１７】
図５において、前記上面吸気開口部５７には、左右２つの空気清浄器１９が設けられており、この空気清浄器１９は空気清浄フィルタ１９ａと、この空気清浄フィルタ１９ａを収納する収納枠１９ｂとから構成され、上面吸気開口部５７の収容部６１に固定される。
【００１８】
前記収納枠１９ｂは横長の長方形の枠に格子６２が設けられており、収納枠１９ｂの左右両側面には、それぞれ２つの突起片６３、６３が設けられ、収納枠１９ｂの上部中央には取っ手６４が設けられている。収容部６１は、後方に傾斜し、この収容部６１の左右側縁には前記突起片６３を後から支持する支持板６６ｂと前から押える爪６６ａとからなる係合部６６が設けられ、収納枠１９ｂの下辺が前記横板５４の上縁に支持され、突起片６３が係合部６６に支持固定される。
【００１９】
そして、収納枠１９ｂを収容部６１の斜め後上方から差し込みスライドさせることにより、収納枠１９ｂが収容部６１に固定される。また、収納枠１９ｂを収容部６１から外すときは、取っ手６４を持って収納枠１９ｂを斜め上方にスライドさせて外すことができる。
【００２０】
図６は前面パネル及び天面パネルを前方から見た斜視図、図７は前面パネル３及び天面パネル５を裏側から見た斜視図である。図６、図７において、前面パネル３の略中央には、幅方向に延びる吸込み格子３１が形成され、この吸込み格子３１の裏側には、横長のエアフィルタ３３が取り付けられている。このエアフィルタ３３は、前面パネル３の裏面の係止部３５に、着脱自在に係止されている。また、前面パネル３には、吹き出す空気の方向を設定するための横羽根１３ｂが支持されている。
【００２１】
天面パネル５はそれ自体フィルタを構成している。すなわち、天面パネル５は、複数の補強用の縦桟４１と、複数の補強用の横桟４３とを有するフィルタ枠４５に、網状のフィルタ素材を一体化させて構成されている。
【００２２】
また、これら前面パネル３と天面パネル５とはグリル１７の上に重ね合わされて取り付けられる。前面パネル３と天面パネル５とを重ね合わせる場合、前面パネル３を前側から両手で持ち、天面パネル５がグリル１７の天面部１７Ｃ（図４）に乗る位置まで前面パネル３を運び、そこから前面パネル３をグリル１７側に押し込む。すると、前面パネル３の裏側に形成された一対の凸部３Ａ（図７）が、グリル１７の係止部１７Ｄ（図４）に係止され、その後、前面パネル３の下縁部をグリル１７の下端部へ嵌合させることで、前面パネル３と天面パネル５とがグリル１７へ固定される。この構成では、前面パネル３と天面パネル５とが一体に連結され、この一体の状態で、グリル１７（本体ケース１）に対し着脱自在に取り付けられる。
【００２３】
このように、前面パネル３及び天面パネル５は、グリル１７から簡単に外すことができ、かつ、空気清浄器１９をグリル１７から外すことにより上面吸気開口部５７が開放されるようになっているので、熱交換器７の吸気側の一面を容易に大きく露出させることができる。これにより掃除機の吸込ノズル等が使い易くなり、熱交換器７の掃除（または洗浄）を簡単に行うことができる。
【００２４】
以上、一実施例に基づいて、本発明を説明したが、本発明はこれに限定されるものでなく、要旨を逸脱しない範囲内で変形が可能である。
【００２５】
本実施例では、空気清浄器１９を上面吸気開口部５７に設けているが、前面吸気開口部５８に設けるようにしても良い。
【図面の簡単な説明】
【００２６】
【図１】本発明の一実施例における空気調和機の室内機の斜視図である。
【図２】図１の側断面図である。
【図３】フレーム及びこのフレームに収納される構成部品を示す斜視図である。
【図４】グリルを示す斜視図である。
【図５】グリルから空気清浄器を外した状態を示す斜視図である。
【図６】前面パネル及び天面パネルを前方から見た斜視図である。
【図７】前面パネル及び天面パネルを裏側から見た斜視図である。
【符号の説明】
【００２７】
１  本体ケース
３  前面パネル
４  前面吸気口
５  天面パネル
６  上面吸気口
７  熱交換器
９  クロスフローファン（送風機）
１０  室内機
１１  ドレンパン
１２  吹出口
１３ａ  縦羽根
１３ｂ  横羽根
１５  フレーム
１７  グリル
１９  空気清浄器
１９ａ  空気清浄フィルタ
１９ｂ  収納枠
３３  エアフィルタ
５１  枠部
５２、５３  側板
５４、５５  横板
５６  縦板
５７  上面吸気開口部
５８  前面吸気開口部
６１  収容部
６３  突起片
６４  取っ手
６６  係合部
【図１】
2004219048.tif 000003
【図２】
2004219048.tif 000004
【図３】
2004219048.tif 000005
【図４】
2004219048.tif 000006
【図５】
2004219048.tif 000007
【図６】
2004219048.tif 000008
【図７】
2004219048.tif 000009